(57)【特許請求の範囲】
【請求項１】
前部に開口を有する箱状に形成されて遊技を行うために必要な遊技用装置を収納する筐体と、前記開口を塞いで前記筐体の前部に取り付けられる前扉とを備えた遊技機であって、
前記前扉には、外部から前記筐体内の前記遊技用装置を視認可能な窓部を有する窓パネルユニットが設けられ、
前記窓パネルユニットは、
前記窓部の開口の周囲を囲む枠状に形成されて前記前扉の後側に取り付けられるエスカッションと、
前記前扉と前記エスカッションとに挟まれて前記前扉の後側に取り付けられ、前記窓部の開口を塞いで前記筐体内の前記遊技用装置を保護する保護用透明板と、
前記エスカッションの後側に取り付けられ、表面に装飾のための印刷がなされた装飾シートと、
前記装飾シートの後方から光を照射する光源が設けられ、前記エスカッションとの間に前記装飾シートを挟み込むことで前記装飾シートの固定を行うランプハウス枠体とを有することを特徴とする遊技機。
【請求項２】
前記エスカッションは、前記前扉に設けられる前記窓部に応じた大きさの枠部と、前記枠部の左右両側の側縁部分のそれぞれから突出するとともに、先端が前扉の左右両側の対応する端面近傍まで延びているフランジ部とを有し、
前記フランジ部は、前記枠部の前記側縁部分における上下方向の全長に渡って形成されていることを特徴とする請求項１に記載の遊技機。
【請求項３】
前記エスカッションは、前記前扉に設けられる前記窓部に応じた大きさの枠部と、前記枠部の下辺部に設けられ、前記ランプハウス枠体の下辺部が係止して前記ランプハウス枠体を前記枠部の後側で支持する係止部とを有し、
前記窓パネルユニットは、前記エスカッションの前記枠部との間に前記装飾シートを挟み込んで前記係止部に支持された前記ランプハウス枠体を前記エスカッションに対して着脱可能に固定する固定手段を有することを特徴とする請求項１または２に記載の遊技機。
【請求項４】
前記エスカッションは、前記前扉に設けられる前記窓部に応じた大きさの枠部と、前記枠部の側縁部分に設けられ、前記前扉の後側に配線されたハーネスを保持するハーネスホルダとを有することを特徴とする請求項１から３のいずれか一項に記載の遊技機。
【発明の詳細な説明】
【技術分野】
【０００１】
本発明は、遊技を行うために必要な遊技用装置を収納するために、六面体の箱状に形成されるとともに、前面が開口された筐体と、この筐体の前面の開口を塞ぐ前扉とを備え、且つ、前記前扉に、外部から内部の遊技用装置を見せるための窓部が形成された遊技機に関する。
【背景技術】
【０００２】
従来から、遊技者に娯楽を提供する遊技機として、外周面に複数種類の図柄が記された複数の回転リールを備え、これらの回転リールを回転させた後、遊技者に回転リールを停止させて図柄を揃えさせる遊技を行うスロットマシンが利用されている。
ここで、複数の回転リールは、回転リールのそれぞれを回転可能に支持するフレームと、回転リールのそれぞれを回転駆動するステッピングモータとを備えているリールユニットを構成する構成部品として、当該リールユニットに組み込まれている。
また、近年のスロットマシンは、演出で遊技を行っている遊技者の気分を高揚させるために、演出に趣向を凝らし、これにより、興趣性の向上を図っている。
【０００３】
例えば、鮮明な動画を画面に表示することができる液晶表示装置を設ければ、その画面に遊技者の興味を引く様々な映像を表示することができるので、遊技者の気分を高揚させるのに効果的な演出が可能となり、これにより、興趣性の向上が図れる。
ところで、スロットマシン等の遊技機は、六面体の箱状に形成されるとともに、前面が開口された筐体と、この筐体の前面の開口を塞ぐ前扉とを備えている。そして、リールユニット及び液晶表示装置等の遊技用装置は、筐体の内部に配置されている。
このため、前扉には、筐体の内部が視認可能にする窓部が設けられ、筐体の内部に配置されたリールユニットに設けられた回転リールの図柄や液晶表示装置の画面等は、窓部を通じて外部から視認できるようになっている。
【０００４】
ここで、スロットマシンの窓部は、一般的に、枠状に形成された照明装置であるランプハウスユニットの開口部として形成され、前扉にランプハウスユニットを取り付けることで、前扉に設けられるようになっている。
すなわち、ランプハウスユニットは、中央に開口を有する矩形枠状に形成されたランプハウス枠体と、このランプハウス枠体の開口を塞ぐ平板状の透明装飾パネルとを備えたものとなっている。
このうち、透明装飾パネルは、矩形枠状に形成されたランプハウス枠体の前面全体を覆う大きさに形成されるとともに、ランプハウス枠体の開口と重なり合わない周辺部に不透明な装飾部が形成なされたパネルである。
【０００５】
透明装飾パネルの装飾部は、透光性を有する塗料で印刷がなされたものであり、裏側から光が照射されると、色鮮に画像が浮かび上がるように形成されている。
ランプハウス枠体は、矩形枠状の部分に光源が収納された部屋であるランプハウスが形成されたものである。各ランプハウスは、その間に形成された仕切り壁で仕切られており、これにより、各ランプハウスの光源が予め設定された部位のみを照射するように形成されている。
例えば、ランプハウス枠体の矩形枠状の上辺に配置されたランプハウスには、筐体内部に配置された回転リール等の内部装置に向かって光を照射する光源が設置されている。
【０００６】
また、ランプハウス枠体の矩形枠状の両辺に配置されたランプハウスには、透明装飾パネルの装飾部の裏側から光を照射するバックライトとなる光源が設置されている。
このようなランプハウスユニットは、前扉の裏面との間に透明装飾パネルを挟み込んだ状態のランプハウス枠体を前扉の裏面に多数のネジで強固に固定することで、前扉への取り付けが行われるようになっている。
ここで、前扉の前面には、透明装飾パネルの周縁を前面側から全周に渡って覆う化粧枠が取り付けられているので、透明装飾パネルの周縁に形成された隙間が化粧枠で    覆われ、この隙間に針金等の細長い器具を差し込むことが困難となるうえ、ランプハウス枠体の周縁には、透明装飾パネルの周縁を全周に渡って裏側から覆う鍔部が形成され、この鍔部が透明装飾パネルの周縁の隙間を裏側から塞ぎ、細長い器具がスロットマシンの内部に侵入することを妨げることができる。しかも、ランプハウス枠体が前扉に強固に固定されていることから、透明装飾パネルを強く押しても、透明装飾パネルの周縁の隙間を広げることは不可能であり、広げた隙間からスロットマシンの内部に細長い器具を侵入させることもできないので、以上により、細長い器具を使用した不正行為に対する防犯効果を充分に達成することができる（例えば、特許文献１参照）。
【特許文献１】特開２００５−２１４３７号公報
【発明の開示】
【発明が解決しようとする課題】
【０００７】
前述のような遊技機では、窓部の周りの装飾を変更するには、前扉に強固に取り付けられたランプハウスユニットのランプハウス枠体を前扉から外し、外したランプハウス枠体から透明装飾パネルを取り出して新たな透明装飾パネルと交換し、新たな透明装飾パネルが取り付けられたランプハウス枠体を、再度、前扉に強固に取り付ける必要があるので、窓部の周りの装飾の変更作業が手間のかかる面倒となっている、とうい問題がある。
ここで、ランプハウス枠体の前扉への着脱を簡略に行えるようにすれば、窓部の周りの装飾の変更作業も容易に行えるが、このようにすると、不正行為に対する防犯効果が損なわれる、という問題が発生する。
【０００８】
そこで、各請求項にそれぞれ記載された各発明は、上記した従来の技術の有する問題点に鑑みてなされたものであり、その目的とするところは、不正行為に対する防犯効果を損なうことなく、窓部の周りの装飾が容易に変更できるようになる遊技機を提供することである。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、前部に開口を有する箱状に形成されて遊技を行うために必要な遊技用装置を収納する筐体(２)と、前記開口を塞いで前記筐体(２)の前部に取り付けられる前扉(３)とを備えた遊技機(１)であって、前記前扉(３)には、外部から前記筐体(２)内の前記遊技用装置を視認可能な窓部(4A)を有する窓パネルユニット(20)が設けられ、前記窓パネルユニット(20)は、前記窓部(4A)の開口の周囲を囲む枠状に形成されて前記前扉(３)の後側に取り付けられるエスカッション(30)と、前記前扉(３)と前記エスカッション(30)とに挟まれて前記前扉の後側に取り付けられ、前記窓部(4A)の開口を塞いで前記筐体(２)内の前記遊技用装置を保護する保護用透明板(21)と、前記エスカッション(30)の後側に取り付けられ、表面に装飾のための印刷がなされた装飾シート(22)と、前記装飾シート(22)の後方から光を照射する光源(41)が設けられ、前記エスカッション(30)との間に前記装飾シート(22)を挟み込むことで前記装飾シート(22)の固定を行うランプハウス枠体(40)とを有することを特徴とする。
【００１０】
（請求項２）
（特徴点）
請求項２記載の発明は、前述した請求項１に記載の発明において、次の特徴点を備えているものである。
すなわち、請求項２に記載された発明は、前記前扉(３)に設けられる前記窓部(4A)に応じた大きさの枠部(31)と、前記枠部(31)の左右両側の側縁部分(31C, 31D)のそれぞれから突出するとともに、先端が前扉(３)の左右両側の対応する端面(3A)近傍まで延びているフランジ部(35C, 35D)とが前記エスカッション(30)に設けられ、前記フランジ部(35C, 35D)が前記枠部(31)の前記側縁部分(31C, 31D)における上下方向の全長に渡って形成されていることを特徴とする。
なお、前記エスカッション(30)は、前記前扉(３)に設けられる前記窓部(4A)に応じた大きさの枠部(31)と、前記枠部(31)の下辺部に設けられ、前記ランプハウス枠体(40)の下辺部が係止して前記ランプハウス枠体(40)を前記枠部(31)の後側で支持する係止部(37A)とを有し、前記窓パネルユニットは、前記エスカッション(30)の前記枠部(31)との間に前記装飾シート(22)を挟み込んで前記係止部(37A)に支持された前記ランプハウス枠体(40)を前記エスカッション(30)に対して着脱可能に固定する固定手段を有してもよい。
また、前記エスカッション(30)は、前記前扉(３)に設けられる前記窓部(4A)に応じた大きさの枠部(31)と、枠部(31)の側縁部分に設けられ、前記前扉(３)の後側に配線されたハーネスを保持するハーネスホルダ(38)とを有してもよい。
【発明の効果】
【００１１】
（請求項１の効果）
以上のように構成されている本発明は、以下に記載されるような効果を奏する。
すなわち、請求項１記載の発明によれば、前扉の裏面に取り付けられるとともに、窓部の開口の周囲を囲む枠状に形成されたエスカッションと、前扉の裏面及びエスカッションの間に介装されることで固定されるとともに、窓部の開口を塞いで内部に設けられる遊技用装置を保護する保護用透明板と設けたので、前扉の裏面との間に保護用透明板を挟み込んだ状態でエスカッションを前扉の裏面に多数のネジで固定すれば、保護用透明板を前扉の裏面に強固に固定することができる。
【００１２】
ここで、従来と同様に、保護用透明板の周縁を前面側から全周に渡って覆う化粧枠を前扉の前面に取り付ければ、保護用透明板の周縁に形成される隙間が化粧枠で覆われ、この隙間に針金等の細長い器具を差し込むことが防止される。そして、エスカッションの側縁部分に、保護用透明板の側縁を全長に渡って裏側から覆うフランジ部を形成すれば、このフランジ部が保護用透明板の側縁の隙間を裏側から塞ぎ、細長い器具がスロットマシンの内部に侵入することを妨げるようになる。しかも、エスカッションが前扉に強固に固定されていることから、保護用透明板を強く押しても、保護用透明板の周縁の隙間を広げることは不可能であり、このことから、広げた隙間からスロットマシンの内部に細長い器具を侵入させることもできないので、以上により、細長い器具を使用した不正行為に対する防犯効果を充分に確保することができる。
【００１３】
また、エスカッションの裏側に取り付けられるとともに、表面に装飾のための印刷がなされた装飾シートと、この装飾シートの裏側から光を照射する光源が設けられているとともに、エスカッションとの間に装飾シートを挟み込むことで装飾シートの固定を行うランプハウス枠体とを設けたので、ランプハウス枠体のエスカッションへの着脱が簡略に行えるようにすれば、装飾シートの交換作業も容易に行え、ひいては、窓部の周りの装飾が容易に変更できるようになるうえ、装飾シートの交換作業を行うにあたり、保護用透明板及びエスカッションを前扉から取り外す必要がなく、換言すると、保護用透明板及びエスカッションが前扉に強固に固定されたままの状態で装飾シートの交換作業が行えるようになり、窓部の周りの装飾が容易に変更できるようにしても、不正行為に対する防犯効果が何ら損なわれることがなく、以上により、前記目的が達成される。
【００１４】
（請求項２の効果）
請求項２記載の発明によれば、上記した請求項１記載の発明の効果に加え、次のような効果を奏する。
すなわち、請求項２記載の発明によれば、前扉に設けられている窓部に応じた大きさの枠部と、この枠部の左右両側の側縁部分のそれぞれから突出するとともに、先端が前扉の左右両側の対応する端面近傍まで延びているフランジ部とをエスカッションに設け、このフランジ部を枠部の端面における上下方向の全長に渡って形成したので、前扉にエスカッションを取り付けた際に、前扉の前面においてエスカッションの周囲に隙間が形成されても、この隙間は、奥の部分がエスカッションのフランジ部で塞がれるので、前述した保護用透明板の周縁を前面側から全周に渡って覆う化粧枠を設けなくとも、当該隙間に針金等の細長い器具を差し込むことが防止され、不正行為に対する防犯効果を充分に確保でき、化粧枠を設置すれば、不正行為に対する防犯効果を更に一層向上させることができる。
【図面の簡単な説明】
【００１５】
【図１】本発明の一実施形態に係る遊技機であるスロットマシンを示す正面図である。
【図２】前記実施形態に係る前扉を示す背面図である。
【図３】図２のIII−III線における拡大断面図である。
【図４】前記実施形態に係る窓パネルユニットを示す斜視図である。
【図５】前記実施形態に係る窓パネルユニットを裏側から示す斜視図である。
【図６】前記実施形態に係る窓パネルユニットを示す分解斜視図である。
【図７】前記実施形態に係るエスカッションを示す斜視図である。
【図８】前記実施形態に係るエスカッションを裏側から示す斜視図である。
【図９】前記実施形態に係るランプハウス枠体を示す斜視図である。
【図１０】前記実施形態に係るランプハウス枠体を裏側から示す分解斜視図である。
【発明を実施するための最良の形態】
【００１６】
以下に、本発明を実施するための最良の形態である実施形態について、図面を参照しながら説明する。
（スロットマシン１の概略構成）
本実施形態に係る遊技機としてのスロットマシン１は、図１に示すように、三個の回転リール11の各々に記された複数種類の図柄が所定の組合せとなるように、回転している回転リール11を停止させる遊技を行うものである。また、スロットマシン１は、遊技媒体として金属製のメダルを採用したものであり、メダルの投入によって遊技を開始するように形成されている。
【００１７】
このようなスロットマシン１には、図１の如く、遊技を行うために必要な遊技用装置を収納するために、正面形状が長方形となった六面体の箱状に形成されるとともに、前面が開口された筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
なお、三個の回転リール11は、特に図示しないが、回転リール11のそれぞれを回転可能に支持するフレーム（図示略）と、回転リールのそれぞれを回転駆動するステッピングモータ（図示略）とを備えているリールユニット（図示略）を構成する構成部品であり、当該リールユニットに組み込まれたものである。そして、このようなリールユニットは、スロットマシン１に備えられている遊技用装置となっている。
【００１８】
前扉３は、前述したように筐体２の前面の開口を塞ぐ部材である。この前扉３には、その前面をほぼ二分する上部パネル部４及び下部パネル部５が備えられている。
このうち、下部パネル部５の下方には、入賞時に払い出されるメダルを貯留する受皿部6Aが一体成形された受皿ユニット６が設けられている。また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１９】
なお、前扉３の裏側における外周縁部分には、図２及び図３に示すように、前扉３の正面形状に応じて形成された四角枠状の枠状フレーム９が設けられている。上部パネル部４及び下部パネル部５等の前扉３を構成する部品は、枠状フレーム９に取り付けられて一体化されるようになっている。
（上部パネル部４）
図１に戻って、上部パネル部４には、図１中、操作卓７の上方且つ幅方向の中央部分において長方形状に形成された表示窓部4Aが設けられている。
ここで、筐体２内部に設けられた三個の回転リール11の各々は、その外周面に複数種類の図柄に記されている。そして、各回転リール11の図柄は、筐体２の外部から表示窓部4Aを通して目視可能となっている。なお、回転リール11の内部には、回転リール11を内側から照射する、図１には示されていないリール照明部が設けられている。
【００２０】
上部パネル部４の上端縁部分には、正面形状が左右に細長い逆台形状に形成された演出用照明装置4Bが設けられている。この演出用照明装置4Bは、上部パネル部４の上端縁部分のほぼ中央に配置され、その両端部は、演出用照明装置4Bの角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
【００２１】
さらに、上部パネル部４の両方の側縁には、その間に表示窓部4Aを挟むようにして配置された一対の演出用照明装置4Dが設けられている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
表示窓部4A及び演出用照明装置4Bの間には、遊技の演出用画像を表示する液晶表示装置4Eが設けられている。この液晶表示装置4Eは、動画を含む様々な画像を、遊技の進行に応じて表示するものである。
【００２２】
液晶表示装置4Eの下側における両角近傍には、遊技に係る効果音を発生するスピーカを備えた音声出力部4Fがそれぞれ設けられている。
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップスイッチ7Dが設けられている。これら三個のストップスイッチ7Dのうち、左端に配置されているストップスイッチ7Dの左斜め上方には、後述するマックスベットスイッチ7Eが設けられている。
【００２３】
また、左端のストップスイッチ7Dの左方であって、マックスベットスイッチ7Eの左斜め下方の位置には、三個の回転リール11を一斉に回転させる際に操作されるスタートスイッチ7Fが設けられている。
ここで、マックスベットスイッチ7Eの図１中左方には、後述の１枚ベットスイッチ7Gが設けられ、さらに、１枚ベットスイッチ7Gの図１中左斜め下方には、後述の精算スイッチ7Hが設けられている。
マックスベットスイッチ7Eは、遊技者等が１回の押圧操作を行うと、一般的には、３枚のメダルをベットすることを命令する投入指令信号であるマックスベット信号を送出するものである。
【００２４】
換言すると、マックスベットスイッチ7Eは、１回の押圧操作でベット可能な最大枚数（一般的には３枚）のメダルをベットするための投入スイッチである。
また、１枚ベットスイッチ7Gは、遊技者等が１回の押圧操作を行うと、１枚のメダルをベットすることを命令する投入指令信号である１枚ベット信号を送出するものである。
換言すると、１枚ベットスイッチ7Gは、１回の押圧操作で１枚のメダルをベットするための投入スイッチである。
残りの精算スイッチ7Hは、遊技者等が押圧操作を行うと、貯留メダルの精算動作を実行すること、あるいは、ベットされたメダルを元に戻すことを命令する精算指令信号を送出するものである。
【００２５】
すなわち、精算スイッチ7Hの精算指令信号は、遊技を止めるために精算を行う精算時、換言すると、メダルのベットが行われていない時に、遊技者等によって精算スイッチ7Hが押圧操作された際に精算スイッチ7Hから出力され、貯留されているすべてのメダルを払い出させる契機となるものである。
また、精算スイッチ7Hの精算指令信号は、マックスベットスイッチ7E及び１枚ベットスイッチ7Gのいずれかの押圧操作によってメダルのベットが行われた後に、精算スイッチ7Hが押圧操作されると、メダルを元の状態、すなわち、メダルのベットによって減少したメダルのクレジット値を元のクレジット値に戻す契機となるものである。
【００２６】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
（窓パネルユニット20）
前扉３の裏側には、図２及び図３に示すように、表示窓部4Aを形成するために、表示窓部4Aに対応する位置に窓パネルユニット20が設けられている。
【００２７】
この窓パネルユニット20は、図４及び図５に示すように、全体が平たい略直方体に形成された枠状のユニットである。そして、窓パネルユニット20の枠状の内部は、回転リール11を見せるための開口、すなわち、表示窓部4Aとなっている。
このような窓パネルユニット20は、図６に示すように、表示窓部4Aの周囲を囲む枠状に形成されたエスカッション30と、表示窓部4Aを塞いで内部に設けられるリールユニットや回転リール11を保護する保護用透明板21と、表面に装飾のための印刷がなされた装飾シート22と、装飾シート22の裏側から光を照射する光源であるＬＥＤ41を収める収納部42が多数設けられているランプハウス枠体40とを備えたものとなっている。
【００２８】
なお、ＬＥＤ41は、所定数がまとめて基板43に設けられ、この基板43がランプハウス枠体40に取り付けられることで、ランプハウス枠体40に設置されるようになっている。
このうち、保護用透明板21は、アクリル等の透明度に優れた合成樹脂を平板状に成形したもので、充分な剛性及び耐久性を備えた厚手の板である。この保護用透明板21は、単なる透明平板であり、表面には、何処にも印刷された箇所がない。なお、保護用透明板21は、前扉３の裏面及びエスカッション30の間に配置されるものとなっている。
一方、装飾シート22は、ポリカーボネート等の透明度に優れた合成樹脂をシート状に成形した可撓性を有する薄手の透明シートである。なお、装飾シート22は、エスカッション30の裏側、すなわち、図６において、エスカッション30及びランプハウス枠体40の間に配置されるようになっている。
【００２９】
この装飾シート22には、表示窓部4Aと重ならない部分に装飾用印刷がなされた不透明な装飾部（図示略）が設けられている。この装飾部は、その印刷に用いられた塗料が透光性を有し、裏側から光が照射されると、色鮮に印刷された画像等を浮かび上がらせるように形成されている。
前扉３の裏側に配置されている回転リール11の図柄は、保護用透明板21及び装飾シート22の透明部分を通じて外部から視認できるようになっている。
（エスカッション30）
エスカッション30は、前扉３に設けられている窓部である表示窓部4Aに応じた大きさの枠部31を備えたものである。
【００３０】
すなわち、エスカッション30の枠部31は、図７及び図８に示すように、その四つの辺をそれぞれ形成する辺31A 〜31D を備えている。このような枠部31は、内側の面が段付状に形成されている。この段付状の部分は、内部に保護用透明板21を嵌め込むための嵌め込み部31E となっている。
また、エスカッション30の左右両側の左辺31C 及び右辺31D にそれぞれ形成されている嵌め込み部31E には、嵌め込んだ保護用透明板21が嵌め込み部31E から外れないように、保護用透明板21を係止する複数の係止爪31F が離間して設けられている。
以上において、エスカッション30の枠部31は、前扉３の裏面との間に保護用透明板21を介装することで、保護用透明板21の前扉３への固定を行う矩形状の枠体である。
【００３１】
エスカッション30の上側に配置された上辺31A には、その両端部分から上方へ突出する耳部32A と、その長手方向の途中部分から上方へ突出する耳部32B とがほぼ等間隔に設けられている。
エスカッション30の下側に配置された下辺31B には、その両端部分から下方へ突出する耳部33A （図８参照）と、その長手方向の途中部分から下方へ突出する耳部33B （図７参照）とがほぼ等間隔に設けられている。
これらの耳部32A, 32B, 33A, 33Bの各々には、前扉３の裏面にエスカッション30を固定するための図示しないタッピングネジが挿通される挿通孔34が形成されている。
【００３２】
エスカッション30の図７中左側に配置された側縁部分である左辺31C には、図７及び図８の如く、その左方へ突出するとともに、エスカッション30の前面とほぼ同一面を形成するフランジ部35C が当該左辺31C の全長に渡って設けられている。
エスカッション30の図７中右側に配置された側縁部分である右辺31D には、その右方へ突出するとともに、エスカッション30の前面とほぼ同一面を形成するフランジ部35D が当該右辺31D の全長に渡って設けられている。
これらのフランジ部35C, 35Dの各々には、エスカッション30を前扉３の裏面に固定するための図示しないタッピングネジが挿通される複数の挿通孔36が所定の間隔をおいて設けられている。
【００３３】
一方、前扉３の裏側には、図３に示すように、フランジ部35C, 35D（図３では、35D のみ示す。）の各挿通孔36と対応する位置においてエスカッション30側へ突出するボス9Aが設けられている。
また、枠状フレーム９には、図３の如く、フランジ部35C, 35D（図３では、35D のみ示す。）の各挿通孔36と対応する位置に開口された挿通孔9Aが設けられている。
エスカッション30は、嵌め込み部31E に保護用透明板21が嵌め込まれた状態で前扉３に固定されている。ここで、前扉３に固定されたエスカッション30のフランジ部35C, 35Dは、前扉３と枠状フレーム９との間に挟み込まれている。
【００３４】
すなわち、エスカッション30を前扉３に固定するにあたり、エスカッション30側の各挿通孔36が前扉３側のボス9Aの頂部に重なり合うように、エスカッション30が前扉３に対して配置され、且つ、枠状フレーム９の各挿通孔9Aがエスカッション30側の各挿通孔36と対向するように、枠状フレーム９がエスカッション30に対して配置される。このような状態で、枠状フレーム９及びエスカッション30の間に、挿通孔9Aと挿通孔36とを互いに連通する筒状スペーサ9Bが介装され、枠状フレーム９の挿通孔9A、筒状スペーサ9B及びエスカッション30の挿通孔36の三者を通り抜けたタッピングネジ9Cを前扉３側のボス3Bに螺合させることで、エスカッション30の前扉３への固定がなされている。これにより、前扉３に固定されたエスカッション30は、前扉３と枠状フレーム９との間にフランジ部35C, 35Dが挟み込まれるので、前扉３への固定が強固になされるようになっている。
【００３５】
そして、エスカッション30は、前扉３に固定されることで前扉３の裏面との間で保護用透明板21を挟むことで、保護用透明板21の固定を行うものとなっている。
そして、前扉３の表側の面には、図３に示すように、前扉３の裏面に固定された保護用透明板21の周縁を面側から全周に渡って覆う化粧枠８が取り付けられている。
また、上側の上辺31A には、図７及び図８の如く、両端の耳部32A の近傍部分から上方へ突出するとともに、筒状に形成された耳部32C が設けられている。
この耳部32C は、ランプハウス枠体40をエスカッション30の裏側に固定するための図示しないタッピングネジと螺合する螺合部となっている。
【００３６】
一方、下側の下辺31B には、図８に示すように、下辺31B の両端近傍部分及び下辺31B の中央部分のそれぞれからスロットマシン１の裏側（図８中左方）へ突出する係止耳部37が設けられている。
係止耳部37には、ランプハウス枠体40側に設けられている後述する係止凸部47が上方から差し込まれて、当該係止凸部47を嵌合させる係止凹部37A が形成されている。
さらに、エスカッション30の左辺31C には、図８の如く、嵌め込み部31E が形成されている側面の反対側の側面において、図示しないハーネスを束ねた状態で保持するハーネスホルダ38が設けられている。
【００３７】
なお、特に図示しないが、エスカッション30の右辺31D にも、左辺31C と同様に、ハーネスホルダ38が設けられている。
ここで、前扉３の裏面に配線されたハーネスは、エスカッション30の両側に振り分けられてハーネスホルダ38に保持され、エスカッション30の裏側（図８中左側）を通らないようになっている。
以上において、フランジ部35C, 35Dは、枠部31の左右両側の側縁部分である左辺31C 及び右辺31D のそれぞれから突出するとともに、枠部31の左辺31C 及び右辺31D における上下方向の全長に渡って形成されている。
【００３８】
また、フランジ部35C, 35Dは、図３の如く、先端が前扉３の左右両側の対応する端面3A近傍まで延びたものとなっている。なお、フランジ部35C は、フランジ部35D と同一の形状及び寸法を有するものなので、フランジ部35D のみを図３に示し、フランジ部35C については図示を省略した。
（ランプハウス枠体40）
ランプハウス枠体40は、エスカッション30と同様に、前扉３に設けられている窓部である表示窓部4Aに応じた大きさの枠部41を備えたものである。ただし、エスカッション30の枠部31は、表示窓部4Aよりも一回り大きな開口を有する枠体であるが、ランプハウス枠体40の枠部41は、表示窓部4Aとほぼ同じサイズの開口が形成されている。
【００３９】
また、ランプハウス枠体40は、前述したように装飾シート22の裏側から光を照射する光源であるＬＥＤ41が設けられているとともに、エスカッション30との間に装飾シート22を挟み込むことで、装飾シート22の固定を行うものとなっている。
すなわち、ランプハウス枠体40の枠部44は、図９に示すように、長方形に形成された枠状部材であり、その四辺をそれぞれ形成する辺44A 〜44D を備えている。
また、枠部44には、周縁に沿ってエスカッション30側へ突出する側壁部45が設けられ、この側壁部45の内側の面が段付状に形成されている。
この側壁部45の内側の面に形成された段付状の部分は、内部に装飾シート22を嵌め込むための嵌め込み部45A となっている。
【００４０】
そして、左辺44C 及び右辺44D のそれぞれに形成された嵌め込み部45A には、嵌め込んだ装飾シート22が嵌め込み部45A から外れないように、装飾シート22を係止する複数の係止爪45B が離間して設けられている。
さらに、枠部44の上辺44A には、その両端の近傍部分から上方へ突出する耳部46が設けられている。これらの耳部46は、エスカッション30側に設けられた耳部32C と対応する位置に設けられ、ランプハウス枠体40をエスカッション30に固定するための図示しないタッピングネジを挿通させる挿通孔46A を備えている。
一方、枠部44の下辺44B には、その両端の近傍部分及び中央部分から下方へ突出する前述の係止凸部47が離間して設けられている。これらの係止凸部47は、エスカッション30側に設けられた係止耳部37と対応するものであり、エスカッション30側の係止耳部37の内部へ上方から差し込まれて、当該係止凹部37A の内部に嵌合するようになっている。
【００４１】
以上において、ランプハウス枠体40は、その係止凸部47が、その根本までエスカッション30側の係止凹部37A に差し込まれると、全体がエスカッション30側の係止耳部37に支持された状態となるとともに、その耳部46がエスカッション30側の耳部32C と対向した状態となるように形成されている。この状態で、ランプハウス枠体40の耳部46に形成された挿通孔46A にタッピングネジを挿通し、さらに、タッピングネジをエスカッション30側に設けられた耳部32C に螺合させることにより、ランプハウス枠体40がエスカッション30に固定されるようになっている。
また、ランプハウス枠体40の枠部44を形成する辺44A 〜44D のうち、下辺44B 、左辺44C 及び右辺44D は、幅が広くされたものとされている。ランプハウス枠体40は、下辺44B 、左辺44C 及び右辺44D の幅が広い分、内側に形成された開口が小さくなっている。
【００４２】
そして、幅が広くされた下辺44B 、左辺44C 及び右辺44D には、装飾シート22の装飾部のバックライトとなるＬＥＤ41を収納する複数の収納部42が設けられている。
さらに具体的に説明すると、枠部44の左辺44C に形成された複数の収納部42C は、枠部44の上端縁から下端縁までの間に左辺44C に沿って垂直方向に配列されている。
枠部44の右辺44D に形成された複数の収納部42D は、左辺44C の収納部42C と同様に、枠部44の上端縁から下端縁までの間に右辺44D に沿って垂直方向に配列されている。
枠部44の下辺44B に形成された複数の収納部42B は、左辺44C 及び右辺44D の最下位置に形成された収納部42C, 42Dの間に、下辺44B に沿って水平方向に配列されている。
【００４３】
これらの収納部42が形成された左辺44C 、右辺44D 及び下辺44B の裏側には、図１０に示すように、それらの収納部42が形成する列の全体に対応したサイズの基板43が取り付けられるようになっている。
すなわち、左辺44C の裏側には、左辺44C に沿って配列された五つの収納部42C に対応するサイズに形成されているとともに、光源である複数のＬＥＤ41が設置された基板43C が取り付けられている。
右辺44D の裏側には、左辺44C と同様に、右辺44D に沿って配列された五つの収納部42D に対応するサイズに形成されているとともに、光源である複数のＬＥＤ41が設置された基板43D が取り付けられている。
【００４４】
下辺44B の裏側には、下辺44B に沿って配列された三つ収納部42B に対応するサイズに形成されているとともに、光源である複数のＬＥＤ41が設置された基板43B が取り付けられている。
一方、枠部44の上辺44A は、内部が中空にされ、回転リール11の外周面に記された図柄に対して光を照射するＬＥＤ41を収納する収納部42A となっている。
具体的に説明すると、枠部44の上辺44A は、図１０に示すように、当該上辺44A の全長に渡って中空となっており、この中空となった部分が収納部42A である。
このような収納部42A が形成された上辺44A は、スロットマシン１の背面側の面が開口されている。また、収納部42A の下面には、当該上辺44A の長手方向に延びる細長いスリット48が設けられている。
【００４５】
また、上辺44A の開口には、当該開口全体を塞ぐ蓋部材49が嵌め込まれるようになっている。蓋部材49には、上辺44A の開口に取り付けた状態で収納部42A の下面のスリット48と対向するように斜め下方に傾斜した傾斜面49A が設けられている。
このような蓋部材49の傾斜面49A には、収納部42A の内法に対応するサイズに形成されているとともに、光源である複数のＬＥＤ41が設置された基板43A が取り付けられるようになっている。
以上において、傾斜面49A に基板43A が取り付けられた蓋部材49を上辺44A の開口に嵌め込むことにより、収納部42A の内部に複数のＬＥＤ41が設置された基板43A が収納されるようになっている。
【００４６】
なお、上辺44A に設置される基板43A には、図６に示すように、回転リール11の図柄を照射する際に、充分な光量が得られるように、当該基板43A の長手方向に沿って多数のＬＥＤ41が比較的細かいピッチで配列されている。
また、左辺44C 及び右辺44D のそれぞれに設置される基板43C, 43Dには、３つのＬＥＤ41が集中配置された五つの光源配置部が所定の間隔をおいて設けられている。このような基板43C, 43Dを左辺44C 及び右辺44D のそれぞれに設置することにより、収納部42C, 42Dのそれぞれには、３個ずつのＬＥＤ41が設置されている。
さらに、枠部44の下辺44B に設置される基板43B には、当該基板43B の長手方向に沿って複数のＬＥＤ41が比較的大きなピッチで配列されている。この基板43B に配列されたＬＥＤ41のピッチは、各収納部42B の長手方向の寸法に応じたものである。換言すると、各収納部42B の両側縁近傍に１個ずつのＬＥＤ41が配置さされるように、基板43B に配列されたＬＥＤ41のピッチが設定されている。これにより、収納部42B のそれぞれには、２個ずつのＬＥＤ41が設置されている。
【００４７】
前述のような本実施形態によれば、次のような効果が得られる。
すなわち、前扉３の裏面に取り付けられるとともに、表示窓部4Aの開口の周囲を囲む枠状に形成されたエスカッション30と、前扉３の裏面及びエスカッション30の間に介装されることで固定されるとともに、表示窓部4Aの開口を塞いで内部に設けられるリールユニット及びその回転リール11を保護する保護用透明板21と設け、前扉３の裏面との間に保護用透明板21を挟み込んだ状態で、エスカッション30を前扉３の裏面に多数のタッピングネジで取り付けたので、保護用透明板21を前扉３の裏面に強固に固定することができる。
ここで、保護用透明板21の周縁を前面側から全周に渡って覆う化粧枠８を前扉３の前面に取り付けたので、保護用透明板21の周縁に形成される隙間が化粧枠８で覆われ、この隙間に針金等の細長い器具を差し込むことが防止される。
【００４８】
そして、エスカッション30の側縁部分である左辺31C 及び右辺31D に、保護用透明板21の側縁を全長に渡って裏側から覆うフランジ部35C, 35Dを形成したので、このフランジ部35C, 35Dが保護用透明板21の側縁の隙間を裏側から塞ぎ、この点からも、細長い器具がスロットマシンの内部に侵入することを妨げるようになる。
しかも、多数のタッピングネジによってエスカッション30を前扉３に強固に固定したので、保護用透明板21を強く押しても、保護用透明板21の周縁の隙間を広げることは不可能であり、このことから、広げた隙間からスロットマシン１の内部に細長い器具を侵入させることもできず、これにより、細長い器具を使用した不正行為に対する防犯効果を充分に向上することができる
また、ランプハウス枠体40の下辺44B に設けた係止凸部47をエスカッション30側の下辺31B に設けた係止凹部37A に差し込み、ランプハウス枠体40の全体をエスカッション30側の係止耳部37に支持可能とし、この状態にすると、ランプハウス枠体40側の耳部46がエスカッション30側の耳部32C と自動的に対向し、この状態で、ランプハウス枠体40の耳部46に形成された挿通孔46A に挿通したタッピングネジをエスカッション30側に設けられた耳部32C に螺合させると、ランプハウス枠体40がエスカッション30に固定されるようにしたので、タッピングネジによる接合箇所の数を最低限にできるうえ、ランプハウス枠体40をエスカッション30に支持させた状態でタッピングネジの操作が容易に行えるようになり、従って、ランプハウス枠体40のエスカッション30への着脱を簡略に行うことができる。
【００４９】
ここで、エスカッション30の左辺31C 及び右辺31D にハーネスホルダ38を設け、前扉３の裏面に配線されたハーネスを、エスカッション30の両側に振り分けてハーネスホルダ38で保持するようにしたので、エスカッション30の裏側をハーネスが通ることがなく、これにより、ランプハウス枠体40のエスカッション30に対する着脱作業を行う際に、ハーネスが着脱作業の障害物になることがなく、この点からも、ランプハウス枠体40のエスカッション30への着脱を簡略に行うことができる。
さらに、エスカッション30及びランプハウス枠体40の間に挟み込むことで装飾シート22を固定するようにしたので、前述のようにランプハウス枠体40のエスカッション30への着脱が簡略に行えることから、装飾シート22の交換作業も容易に行うことができ、これにより、表示窓部4Aの周りの装飾を容易に変更することができる。
【００５０】
しかも、装飾シート22の交換作業を行うにあたり、保護用透明板21及びエスカッション30を前扉３から取り外す必要がなく、換言すると、保護用透明板21及びエスカッション30が前扉３に強固に固定されたままの状態で、装飾シート22の交換作業が行えるので、表示窓部4Aの周りの装飾を容易に変更できるようにしても、不正行為に対する防犯効果が何ら損なわれることがない。
なお、本発明は、前記実施形態に限定されるものではなく、本発明の目的を達成できる範囲における変形及び改良などをも含むものである。
例えば、ランプハウス枠体に設けられる光源としては、ＬＥＤに限らず、白熱ランプや冷陰極管ランプでもよく、光源の具体的な種類は、実施にあたり適宜選択できる。
【００５１】
また、装飾シートとしては、ポリカーボネートからなる透明なフィルム状のものに限らず、不透明な材質、例えば、紙製のものでもよい。不透明な材質のものを採用する場合、そのままでは、窓部を通じて内部が見えなくなるので、窓部に応じた開口を中央部分に設け、内部を視認可能にすればよい。
さらに、装飾シートは、全体が一枚のものに限らず、複数に分割されたものでもよい。複数に分割された装飾シートを採用する場合は、ランプハウス枠体40に応じたサイズに形成されるとともに、所定位置に透明ポケットが設けられたレイアウトシートも採用することが好ましい。このようにすれば、装飾シートを複数に分割しても、透明ポケットに入れることで、分割した装飾シートを所定位置に容易に設置することができるうえ、所定位置に配置した後、装飾シートが移動することがなく、装飾シートの位置の乱れを未然に防止することができる。
【００５２】
また、遊技機としては、スロットマシンに限らず、液晶表示装置等の画面を見ながら行うテレビゲーム機でもよく、要するに、本発明は、内部に収納された液晶表示装置等の遊技用装置を外部から視認可能とする窓部と、この窓部の周囲に設けられるとともにバックライトで後からライトアップされる装飾部とを備えた遊技機全般に適用できる。
【符号の説明】
【００５３】
1      遊技機としてのスロットマシン
2      筐体
3      前扉
3A     前扉の端面
4A     窓部としての表示窓
20      窓パネルユニット
21      保護用透明板
22      装飾シート
30      エスカッション
31      枠部
31C     側縁部分としての枠部の左辺
31D     側縁部分としての枠部の右辺
35C     フランジ部
35D     フランジ部
40      ランプハウス枠体
41      光源
【図１】
0005495379.tif 000002
【図２】
0005495379.tif 000003
【図３】
0005495379.tif 000004
【図４】
0005495379.tif 000005
【図５】
0005495379.tif 000006
【図６】
0005495379.tif 000007
【図７】
0005495379.tif 000008
【図８】
0005495379.tif 000009
【図９】
0005495379.tif 000010
【図１０】
0005495379.tif 000011